(57)【特許請求の範囲】
【請求項１】
支持金物に固定され、電線を支持する電線支持具であって、
螺旋形状を有し、螺旋が形成する内部空間内に前記電線を挿通させ支持する支持体と、
前記支持体を支持する、支持金物に固定される固定具と、
を有し、
前記支持体は、螺旋が形成する内部空間内を挿通する前記電線を固定することなく、前記電線の特定方向への移動を制限するように支持し、
前記固定具は、末端部に、前記支持体の螺旋が形成する内部空間内を前記電線が挿通するように当該電線支持具を電線に取付けるための間接活線工具把持部を有することを特徴とする電線支持具。
【請求項２】
前記特定方向は、電線の長手方向に直交する方向であり、
前記支持体の螺旋の巻数は、螺旋が形成する内部空間内を挿通する前記電線の特定方向への移動を制限可能な最小の巻数であることを特徴とする請求項１に記載の電線支持具。
【請求項３】
前記支持体は、端部に、当該電線支持具を支持金物に取付けるための間接活線工具把持部を有することを特徴とする請求項１又は２に記載の電線支持具。
【請求項４】
前記電線が、高圧カットアウトと変圧器とを結ぶ電線であり、
前記支持金物が、変圧器に取付けられた、固定ボルトを支持するボルト挿通パイプを有する支持金物であり、
前記固定具が、固定ボルトであり、前記固定具を前記ボルト挿通パイプに挿通し、当該電線支持具を固定することを特徴とする請求項１から３のいずれか１項に記載の電線支持具。
【発明の詳細な説明】
【技術分野】
【０００１】
本発明は、高圧カットアウトと変圧器とを結ぶリード線（電線）など電線を支持する電線支持具に関する。
【背景技術】
【０００２】
柱上変圧器（以下、変圧器と記す）と架空電線との接続には、架空電線から引き出された高圧引下線が使用される。架空電線から引き出された高圧引下線は、支持金物に取付けられたピン碍子に支持され、高圧カットアウトに接続され、さらに高圧カットアウトと変圧器とがリード線（以下、電線と記す）で結ばれる。耐風設計基準の変圧器では、高圧カットアウトと変圧器とを結ぶ電線は、変圧器リード線支持金物（以下、支持金物と記す）に取付けられたピン碍子にバインド（バインド線）で固定され、配電設備への接触が防止されている。
【０００３】
電線をピン碍子にバインドで固定するためには変圧器と高圧カットアウトとの間での直接活線作業もしくは停電作業が必要となる。直接活線作業は、感電の危険性、さらに防具の取付けが多く作業量が多くなるという問題がある。一方、停電作業ではお客様に迷惑を掛けてしまう。
【０００４】
電線の固定にはピン碍子が多く使用されているが、ピン碍子に代わる電線支持具も提案されている（例えば特許文献１参照）。特許文献１に記載の電線支持具は、腕金を挟持する腕金挟持部と電線を支持するクリップ状の支持部とを伸縮、回動、屈曲可能に接続することで、フレキシブルな対応を可能としている。
【先行技術文献】
【特許文献】
【０００５】
【特許文献１】特開２０１１−１５５７５４号公報
【発明の概要】
【発明が解決しようとする課題】
【０００６】
特許文献１に記載の電線支持具は、クリップ状の支持部材で電線を挟持するため間接活線工法により電線を固定することができる。しかしながらこの電線支持具は、構造が複雑であるため製造コストが高くなる。従来、高圧カットアウトと変圧器とを結ぶ電線を固定するピン碍子は、支持金物に取付けられるため、この支持金物を利用すれば、電線の配電設備への接触防止を安価にまた容易に実施することができる。また既設の変圧器への適用も容易となる。
【０００７】
本発明の目的は、電線を支持し電線の配電設備への接触を防止する、構造が簡単で間接活線工法により取付け可能な電線支持具を提供することである。
【課題を解決するための手段】
【０００８】
本発明は、支持金物に固定され、電線を支持する電線支持具であって、螺旋形状を有し、螺旋が形成する内部空間内に前記電線を挿通させ支持する支持体と、前記支持体を支持する、支持金物に固定される固定具と、を有し、前記支持体は、螺旋が形成する内部空間内を挿通する前記電線を固定することなく、前記電線の特定方向への移動を制限するように支持し、前記固定具は、末端部に、前記支持体の螺旋が形成する内部空間内を前記電線が挿通するように当該電線支持具を電線に取付けるための間接活線工具把持部を有することを特徴とする電線支持具である。
【０００９】
本発明の電線支持具は、支持体が、挿通する電線の特定方向への移動を制限するように支持するので、電線の配電設備への接触を防止することができる。また本電線支持具は、螺旋形状の支持体を用い、挿通する電線を固定することなく支持するので間接活線工法を用いて電線に取付けることができる。また本発明の電線支持具は、構造がシンプルであるので安価にまた容易に製造することができる。また本発明の電線支持具は、本電線支持具を電線に取付けるための間接活線工具把持部を有するので、間接活線工具を用いて本電線支持具を電線に容易に取付けることができる。
【００１０】
本発明の電線支持具において、前記特定方向は、電線の長手方向に直交する方向であり、前記支持体の螺旋の巻数は、螺旋が形成する内部空間内を挿通する前記電線の特定方向への移動を制限可能な最小の巻数であることを特徴とする。
【００１１】
本発明によれば、支持体の螺旋の巻数が少ないので、間接活線工法を用いて電線に容易に取付けることができる。
【００１４】
また本発明の電線支持具において、前記支持体は、端部に、当該電線支持具を支持金物に取付けるための間接活線工具把持部を有することを特徴とする。
【００１５】
本発明によれば、電線支持具を支持金具に取付けるための間接活線工具把持部を有するので、間接活線工具を用いて本電線支持具を支持金具に容易に取付けることができる。
【００１６】
また本発明の電線支持具において、前記電線が、高圧カットアウトと変圧器とを結ぶ電線であり、前記支持金物が、変圧器に取付けられた、固定ボルトを支持するボルト挿通パイプを有する支持金物であり、前記固定具が、固定ボルトであり、前記固定具を前記ボルト挿通パイプに挿通し、当該電線支持具を固定することを特徴とする。
【００１７】
本発明によれば、変圧器に取付けられた支持金物に本電線支持具を簡単に取付けることが可能であり、支持金物に既設の変圧器リード線支持金物を使用することができるので、使い勝手がよい。
【発明の効果】
【００１８】
本発明によれば、電線を支持し電線の配電設備への接触を防止する、構造が簡単で間接活線工法により取付け可能な電線支持具を提供することができる。
【図面の簡単な説明】
【００１９】
【図１】本発明の第１実施形態の電線支持具１の斜視図である。
【図２】本発明の第１実施形態の電線支持具１の側面図である。
【図３】本発明の第１実施形態の電線支持具１の平面図である。
【図４】本発明の第１実施形態の電線支持具１を電線１０１に取付けている様子を示す図である。
【図５】本発明の第１実施形態の電線支持具１を電線１０１に取付けた状態を示す正面図である。
【図６】本発明の第１実施形態の電線支持具１を支持金物５１に取付ける様子を示す図である。
【図７】本発明の第１実施形態の電線支持具１で電線１０１を支持した状態を示す図である。
【図８】本発明の第２実施形態の電線支持具２の斜視図である。
【図９】本発明の第２実施形態の電線支持具２を支持金物５１に取付ける様子を示す図である。
【発明を実施するための形態】
【００２０】
図１は、本発明の第１実施形態の電線支持具１の斜視図、図２は、電線支持具１の側面図、図３は、電線支持具１の平面図、図４は、電線支持具１を電線１０１に取付けている様子を示す図、図５は、電線支持具１を電線１０１に取付けた状態を示す正面図、図６は、電線支持具１を支持金物５１に取付ける様子を示す図、図７は、電線支持具１で電線１０１を支持した状態を示す図である。
【００２１】
本発明の第１実施形態の電線支持具１は、電線１０１を支持し電線１０１が配電設備へ接触することを防止する電線支持具であって、電線１０１を支持する支持体１１と、支持体１１を支持すると共に支持金物５１に固定される固定具２１とを備える。
【００２２】
ここに示す支持金物５１は、従来から使用されている、高圧カットアウト１１１と変圧器１１３とを結ぶ電線１０１を固定するピン碍子を支持する変圧器リード線支持金物５１であり、変圧器の蓋１１５に固定され垂下する支持棒５３と、支持棒５３の先端部に取付けられたボルト挿通パイプ５５とからなる。
【００２３】
支持体１１は、螺旋状の棒状部材または螺旋状のパイプ部材であり、螺旋が形成する内部空間Ｓ内に電線１０１を挿通させ、挿通する電線１０１を支持する。支持体１１の螺旋が形成する円の直径（内径）Ｄは、電線１０１の外径ｄに比較して大きい。このため支持体１１内を挿通する電線１０１は、長手方向には自由に動くことができ、さらに電線１０１の半径方向に対しても移動可能であるが、半径方向の移動は、螺旋が形成する内部空間Ｓ内に制限される。
【００２４】
支持体１１の螺旋のピッチ（巻き数）及び直径Ｄは、特定の寸法に限定されるものではない。但し、電線支持具１は、支持体１１のみからなるものではなく螺旋状の支持体１１に固定具２１が取付けられているので、支持体１１の螺旋の巻き数を多くする、又は螺旋が形成する円の直径Ｄを極端に小さくすると、間接活線工具を用いての取付けが難しくなる。
【００２５】
また本電線支持具１は、上記のように電線１０１を固定するものではなく移動を制限し、挿通する電線１０１を周囲の配電機器に接触させないようにするためのものであるから、支持体１１の螺旋の巻き数、螺旋が形成する円の直径Ｄは、螺旋が形成する内部空間Ｓ内を挿通する電線１０１が、周囲の配電機器に接触しないように半径方向の移動を制限可能な最小の巻数及び大きさであればよい。
【００２６】
支持体１１は、螺旋が最低１ピッチ（巻）あれば螺旋が形成する内部空間Ｓ内に電線１０１を留め置くことができるが、風等で電線１０１が振れること等を考えれば、支持体１１の螺旋のピッチ（巻き数）は、１．５〜２ピッチ程度が好ましい。
【００２７】
支持体１１は、基本的に絶縁性を有し、間接活線工具を用いて取付け作業を行う際に容易に変形しない強度を有していればよい。さらに長期間、屋外において使用されるため風雨や日光にさらされても劣化し難いものが好ましい。具体的には、絶縁被膜が施された金属材、絶縁性能を有する繊維強化プラスチック（ＦＲＰ）を好適に用いることができる。
【００２８】
固定具２１は、支持体１１を支持する、ボルト状の部材であり、支持体１１の中央部に支持体１１に直交するように取付けられている。固定具２１は、ピン碍子の固定ボルトに対応する部材であり、支持金物５１のボルト挿通パイプ５５に挿通されナット３１で固定される。
【００２９】
固定具２１の上部には、ワッシャ状のストッパー２３が設けられている。このストッパー２３は、位置決め用の部材であり、固定具２１をボルト挿通パイプ５５に挿通すると、ストッパー２３がボルト挿通パイプ５５の上端に係止し、固定具２１の位置が決まる。ストッパー２３は、支持体１１内を挿通する電線１０１に無理な力が加わらない位置に設けられている。
【００３０】
固定具２１の末端には、絶縁ヤットコ等の間接活線工具１２１で把持するための間接活線工具把持部２５が設けられている。間接活線工具把持部２５は、ボルト状の部材の末端の両側が平行に切り落とされる形で形成されている。間接活線工具把持部２５を絶縁ヤットコ等で把持することで電線１０１への電線支持具１の取付けが容易となる。
【００３１】
固定具２１は、支持体１１と同様に絶縁被膜された金属材、絶縁性能を有する繊維強化プラスチック（ＦＲＰ）を好適に用いることができる。本電線支持具１は、電線１０１を固定していないため風で電線１０１が振れたときもその影響を受け難い。このため固定具２１の強度は、ピン碍子の固定ボルトに比較すると小さくてもよい。
【００３２】
次に、電線１０１に電線支持具１を取付け、電線１０１を支持する要領を説明する。固定具２１の間接活線工具把持部２５を絶縁ヤットコ１２１で把持し、電線１０１に対して電線支持具１を上方から下ろし、支持体１１の一端部１３を電線１０１に係止する。支持体１１の一端部１３を電線１０１に係止した状態で、電線支持具１を動かし支持体１１内を電線１０１が通過するように電線支持具１を取付ける（図４参照）。
【００３３】
支持体１１全体を電線１０１が挿通する状態（図５参照）となった後に、絶縁ヤットコ１２１で固定具２１の上部を把持し、ボルト挿通パイプ５５の上方から固定具２１を挿入する（図６参照）。固定具２１には上部にストッパー２３が設けられているので、ストッパー２３がボルト挿通パイプ５５の上端に係止し、支持金物５１に対する電線支持具１の位置が決まる。最後に間接活線工具（図示省略）を用いて固定具２１にナット３１を取付け、電線支持具１を支持金物５１にしっかりと固定した後、ナット落下防止キャップを取付ける（図７参照）。
【００３４】
従来の電線支持具には、棒状体を螺旋形状とし、これに電線を巻き付け、摩擦力により電線を固定し支持するものもあるが、本電線支持具１は、上記のように電線１０１を固定するものではなく、移動を制限するように支持するので、電線１０１に対して間接活線工具を使用し容易に取付けることができる。また支持体１１の螺旋の巻き数、螺旋が形成する円の直径Ｄを、螺旋が形成する内部空間Ｓ内を挿通する電線１０１の半径方向の移動を制限可能な最小の巻数及び大きさに設定することでより容易に取付け可能となる。
【００３５】
図８は、本発明の第２実施形態の電線支持具２の斜視図、図９は、電線支持具２を支持金物５１に取付ける様子を示す図である。図１から図７に示す第１実施形態の電線支持具１と同一の構成には、同一の符号を付して説明を省略する。第２実施形態の電線支持具２は、第１実施形態の電線支持具１と基本的構成は同じであるが、電線支持具２は、支持体１１の端部に間接活線工具把持部２７が設けられている。
【００３６】
間接活線工具把持部２７は、電線支持具２を支持金物５１に取付ける際、より具体的には固定具２１をボルト挿通パイプ５５に挿入する際に間接活線工具で把持する部分である。間接活線工具把持部２７は、リング形状を有し、支持体１１の端部に支持体１１の端部を屈曲させる形で支持体１１と一体的に設けられている。
【００３７】
間接活線工具把持部２７の形状は、間接活線工具で把持可能であれば特定の形状に限定されるものではないが、リング状とし、バインド打ち器で引掛けることができるようにすることが好ましい。このようにすればボルト挿通パイプ５５に挿入した電線支持具２をボルト挿通パイプ５５から取り出す操作が容易となり、利便性が高まる。また間接活線工具把持部２７をリング形状とすれば、容易に製作することができる。
【００３８】
間接活線工具把持部２７の大きさは、間接活線工具で把持可能な大きさであればよいが、不必要に大きくすると電線支持具２を電線１０１に取付ける際に邪魔となる。
【００３９】
間接活線工具把持部２７の位置は、電線支持具２を側面から見たとき螺旋が形成する円の内側にあることが好ましく、円の上にあることがより好ましい。間接活線工具把持部２７の位置が、電線支持具２を側面から見たとき螺旋が形成する円の外にあると、電線支持具２を電線１０１に取付ける際に邪魔となる。間接活線工具把持部２７の位置を螺旋の円周上とすると、製作が容易であり、電線支持具２を電線１０１に取付ける際に邪魔とならない。
【００４０】
以上、第１及び第２実施形態の電線支持具に示すように本発明の電線支持具は、支持体が挿通する電線の特定方向への移動を制限するように支持するので、電線の配電設備への接触を防止することができる。また本電線支持具は、挿通する電線を固定することなく支持するので、間接活線工法を用いて容易に電線に取付けることができる。さらに支持金物に既設の変圧器リード線支持金物を使用することができるので、既設の配電設備への適用も容易である。さらに本発明の電線支持具は、構造がシンプルであるので安価にまた容易に製造することができる。
【００４１】
第１及び第２実施形態の電線支持具を用いて本発明の電線支持具を説明したが、本発明の電線支持具は、上記実施形態に限定されるものではなく、要旨を変更しない範囲で変更して使用することができる。例えば、上記実施形態では、支持金物として変圧器リード線支持金物を使用しているが、変圧器リード線支持金物に代え、腕金に固定してもよい。また、本発明の電線支持具は、高圧カットアウトと変圧器とを結ぶ電線以外の電線の支持にも利用することができる。
【符号の説明】
【００４２】
１、２  電線支持具
１１  支持体
２１  固定具
２５  間接活線工具把持部
２７  間接活線工具把持部
５１  支持金物
５５  ボルト挿通パイプ
１０１  電線
１１１  高圧カットアウト
１１３  変圧器
１２１  絶縁ヤットコ
Ｓ  内部空間
Ｄ  螺旋の円の直径（内径）
【図１】
0006455208.tif 000002
【図２】
0006455208.tif 000003
【図３】
0006455208.tif 000004
【図４】
0006455208.tif 000005
【図５】
0006455208.tif 000006
【図６】
0006455208.tif 000007
【図７】
0006455208.tif 000008
【図８】
0006455208.tif 000009
【図９】
0006455208.tif 000010